(57)【要約】  【課題】本発明は、台詞が対応付けられた一連の静止画像が順次切り替えられて表示される静止画像表示切替システムに関し、特別な操作を要せず、台詞読み上げに応じて容易にタイミングよく静止画像の切り替え表示を行うことを目的とする。  【解決手段】音声処理部２１の音声認識手段３１が入力した台詞音声を解析した音声データとし、音声照合手段３２が予め備える静止画像切り替えのための設定台詞データ３３とを照合し、一致したときに第１の画像表示制御手段３４が第１の表示部１７で静止画像の切り替え表示を行わせる構成とする。  【選択図】  図１
2008035226.tif 000002
【特許請求の範囲】
【請求項１】
台詞が関連付けられた一連の静止画像を順次切り替え表示させる静止画像表示切替システムであって、
静止画像記憶部、音声入力部、照合データ部、音声処理部、第１の画像表示制御手段及び第１の表示部を備え、
前記静止画像記憶部は、一連で構成される複数の静止画像を一組として所定数記憶し、
前記音声入力部は、台詞音声を入力し
前記照合データ部は、前記静止画像毎に静止画像切り替えのための設定台詞データを備え、
前記音声処理部は、前記入力した台詞音声を解析して生成した音声データと前記照合データ部の設定台詞データとを照合して、一致したときに一致信号を出力し、
前記第１の画像表示制御手段は、前記第１の表示部に前記一連の静止画像を前記静止画像記憶部より抽出して最終静止画像まで順次切り替え表示させるものであり、前記音声照合手段からの一致信号により次の静止画像の切り替えを行わせる
ことを特徴とする静止画像表示切替システム。
【請求項２】
請求項１記載の静止画像表示切替システムであって、さらに台詞記憶部、台詞表示制御手段及び第２の表示部を備え、
前記台詞記憶部は、前記一連で構成される静止画像毎の台詞データを記憶し、
前記台詞表示制御手段は、前記第２の表示部に、前記第１の表示部に現に表示されている静止画像に対応する台詞データを前記台詞記憶部より抽出して表示させることを特徴とする静止画像表示切替システム。
【請求項３】
請求項２記載の静止画像表示切替システムであって、さらに第２の画像表示制御手段を備え、前記第２の表示部に、前記第１の表示部に現に表示されている静止画像を表示させることを特徴とする静止画像表示切替システム。
【発明の詳細な説明】
【技術分野】
【０００１】
本発明は、台詞が対応付けられた一連の静止画像が順次切り替えられて表示される静止画像表示切替システムに関する。
【背景技術】
【０００２】
近年、顧客相手や社内的にプレゼンテーションが盛んに行われるようになってきており、作成した説明（台詞）対象の一連の静止画像をプロジェクタ等で順次切り替えて表示させることが行われている。一方、一連のデジタル静止画像を昔ながらの紙芝居に見立てて、台詞を読み上げながら順次各シーンの画像を表示させるデジタル紙芝居も知られている。このようなプレゼンテーションやデジタル紙芝居等においては、静止画像の切り替え表示を説明や台詞読み上げに応じて容易にタイミングよく行わなければならない。
【０００３】
例えば、デジタル紙芝居では、一つのシーンの静止画像を表示させた状態で台詞を読み上げたところで切替スイッチ等により次のシーンの静止画像に切り替えるというもので、簡潔で機能的な構成となっている。一方、プレゼンテーションにおいて、静止画像を切り替える手法として以下の特許文献で提案されているものがある。
【０００４】
【特許文献１】特開２００３−２１６１７４号公報
【０００５】
上記特許文献では、プレゼンテーション実現のためのプロジェクタの遠隔操作装置に関して、マイクからのプレゼンタの音声のうちの、所定の音声データを認識して画像表示を切り替えるというもので、当該画像切り替えのための音声データをプレゼンタが発するときにマイクに設けられたコマンダを操作して、当該音声データを入力させると共に、当該音声をスピーカより発しないようにしたものとして提案されている。
【発明の開示】
【発明が解決しようとする課題】
【０００６】
しかしながら、上記デジタル紙芝居のシステムでは静止画像の切り替えをマニュアル操作するためのスイッチ類を必要とすることから、読み上げ者にマイクの他にスイッチ類のものの携帯を余儀なくされ、スイッチの誤操作による意に反する画像切り替えの事態を生じ、これに伴って表示画像を戻して表示させようとする場合にはその分の機構が必要となると共に、操作が複雑となるという不都合がある。このような不都合を回避させるために、台詞の長さに応じた時間を定めて自動的に切り替える機構を採用することも想定されるが、台詞の長短や、読み上げ速度によっては切り替えのタイミングが異なるという問題がある。
【０００７】
一方、上記特許文献で提案されている画像切り替えの手法では、画像切り替えのときの音声データを入力させるときにコマンダを操作する必要があることから、操作自体を行うという煩わしさがあり、また、コマンダの誤操作により、画像は切り替わらないが、音声がスピーカより出力されない事態を生じるという問題がある。
【０００８】
そこで、本発明は上記課題に鑑みなされたもので、特別な操作を要せず、台詞読み上げに応じて容易にタイミングよく静止画像の切り替え表示を行う静止画像表示切替システムを提供することを目的とする。
【課題を解決するための手段】
【０００９】
上記課題を解決するために、請求項１の発明では、台詞が関連付けられた一連の静止画像を順次切り替え表示させる静止画像表示切替システムであって、静止画像記憶部、音声入力部、照合データ部、音声処理部、第１の画像表示制御手段及び第１の表示部を備え、前記静止画像記憶部は、一連で構成される複数の静止画像を一組として所定数記憶し、前記音声入力部は、台詞音声を入力し前記照合データ部は、前記静止画像毎に静止画像切り替えのための設定台詞データを備え、前記音声処理部は、前記入力した台詞音声を解析して生成した音声データと前記照合データ部の設定台詞データとを照合して、一致したときに一致信号を出力し、前記第１の画像表示制御手段は、前記第１の表示部に前記一連の静止画像を前記静止画像記憶部より抽出して最終静止画像まで順次切り替え表示させるものであり、前記音声照合手段からの一致信号により次の静止画像の切り替えを行わせる構成とする。
【００１０】
請求項２、３の発明では、「さらに台詞記憶部、台詞表示制御手段及び第２の表示部を備え、前記台詞記憶部は、前記一連で構成される静止画像毎の台詞データを記憶し、前記台詞表示制御手段は、前記第２の表示部に、前記第１の表示部に現に表示されている静止画像に対応する台詞データを前記台詞記憶部より抽出して表示させる」構成であり、
「さらに第２の画像表示制御手段を備え、前記第２の表示部に、前記第１の表示部に現に表示されている静止画像を表示させる」構成である。
【発明の効果】
【００１１】
本発明によれば、入力した台詞音声を解析した音声データと予め備える静止画像切り替えのための設定台詞データとを照合し、一致したときに第１の表示部に静止画像の切り替え表示を行わせる構成とすることにより、特別な操作を要せず、台詞読み上げに応じて容易にタイミングよく静止画像の切り替え表示を行うことができるものである。
【発明を実施するための最良の形態】
【００１２】
以下、本発明の最良の実施形態を図により説明する。
図１に、本発明に係る静止画像表示切替システムのブロック構成図を示す。図１において、静止画像表示切替システム１１は、バス１２、中央制御部１３、ＲＯＭ１４、ＲＡＭ１５、表示制御部１６、第１の表示部である画像表示部１７、アンプ１８、音声入力部であるマイク１９、スピーカ２０、音声処理部２１、記憶装置２２及び操作部２３を適宜備える。また、上記音声処理部２１は音声認識手段３１及び音声照合手段３２を備える。さらに、記憶装置２２には、照合データ部３３、第１の画像表示制御手段３４及び画像記憶部である画像ＤＢ（画像データベース）３５が記憶される。
【００１３】
中央制御部１３は、このシステムを統括的に処理制御する物理的なＣＰＵであり、ＲＯＭ１４に記憶されているプログラムに基づくアルゴリズム処理を行う。上記ＲＡＭ１５は、種々のプログラムを展開、実行させるための作業領域としての役割をなすもので、例えば半導体メモリで構成され、仮想的にハードディスク上に構築される場合をも含む概念である。
【００１４】
上記表示制御部１６は、後述の第１の画像表示制御手段３４より送られてくる画像をデコードして画像表示部１７に表示させる電子回路及びこれに付随したプログラムを備える。当該画像表示部１７としては例えば、プロジェクタスクリーン、ブラウン管（ＣＲＴ）ディスプレイ、液晶ディスプレイ（ＬＣＤ）、プラズマディスプレイ（ＰＤＰ）等がある。上記アンプ１８は、マイク１９より入力される音声を増幅してスピーカ２０より出力する電子回路である。また、上記操作部２３は、電源ボタンやスタートボタン等のスイッチ類を備えたものである。
【００１５】
上記音声処理部２１の備える上記音声認識手段３１は、入力される台詞音声を解析して音声データとするプログラムでありＲＡＭ１５に展開されて実行される。本実施形態では、例えば、アナログ信号の台詞音声をデジタル変換し、フォントコード化した音声データとする。なお、アナログ波形を画像化して解析した音声データとしてもよい。
【００１６】
上記音声処理部２１の備える音声照合手段３２は、音声認識手段３１で解析された音声データと図２で説明する照合データ部３３のフォントコード化された設定台詞データとを照合し、一致したときに第１の画像表示制御手段３４に一致信号を出力するプログラムであり、ＲＡＭ１５に展開されて実行される。ここで、音声データと設定台詞データとの照合は、例えば、随時入力されて解析された音声データ（フォントコード）を、まず設定台詞データの最初の一音データ（フォントコード）と照合し、一致したときに順次２番目以降の一音データ（フォントコード）と照合していく処理であり、設定台詞データの総ての一音データ（フォントコード）とが一致したときに、一致信号を出力する。逆に、一つでも一致しないものがあれば、設定台詞データの最初の一音データとの照合から繰り返すものである。
【００１７】
上記記憶装置２２に記憶される照合データ部３３は、静止画像毎に静止画像切り替えのための設定台詞データを備えるメモリであり、一例を図２（Ａ）で説明する。上記記憶装置２２に記憶される第１の画像表示制御手段３４は、画像表示部１７に一連の静止画像を画像ＤＢ３５より抽出して最終静止画像まで順次切り替え表示させるものであり、上記音声処理部２１（音声照合手段３２）からの一致信号により次の静止画像の切り替えを行わせるプログラムであり、ＲＡＭ１５に展開されて実行される。上記記憶装置２２に記憶される静止画像記憶部である画像ＤＢ３５は、一連で構成される複数の静止画像を一組として所定数記憶させておくデータベースである。
【００１８】
そこで、図２に、静止画像の表示切り替えの説明図を示す。図２（Ａ）は照合データ部３３の一例を示したもので、図のように、例えば一連の静止画像が各シーンで第１画像から第１０画像まであるとして、各シーンで画像切り替えのための対応の設定台詞データを予め設定させたものである。この設定台詞データと、当該画像（シーン）の対応台詞が読み上げられたときに、次の静止画像に切り替えさせるものである。
【００１９】
上記静止画像表示切替システム１１においては、第１の画像表示制御手段３４が所定の静止画像を画像ＤＢ３５より抽出して表示制御部１６に送出することで、当該表示制御部１６が当該画像データをデコードして画像表示部１７に表示する。このときに読み上げ者が当該画像に対応した台詞を、マイク１９を介して読み上げると、当該マイク１９に入力される読み上げられた台詞音声は、アンプ１８で増幅されてスピーカ２０より出力され、一方で、図２（Ｂ）に示すように、当該台詞音声が音声認識手段３１に随時入力される（ステップ（Ｓ１））。
【００２０】
音声処理部２１では、音声認識手段３１が入力した台詞音声を解析して音声データとし、音声照合手段３２が当該音声データと照合データの現に表示されている静止画像に対応する設定台詞データとを実時間で照合していく（Ｓ２）。上記のような照合処理により、一致するまで照合が繰り返される（Ｓ３）。
【００２１】
音声照合手段３２による照合の結果（Ｓ３）、一致した場合には、一致信号を第１の画像表示制御手段３４に出力する（Ｓ４）。第１の画像表示制御手段３４では、音声照合手段３２より一致信号を入力すると、次の静止画像を画像ＤＢ３５より抽出して表示制御部１６に送出する。表示制御部１６では第１の画像表示制御手段３４より送られてくる画像データをデコードして画像表示部１７に表示させることで表示切り替えが行われる。
【００２２】
そして、音声処理部２１（音声照合手段３２）による照合、及び第１の画像表示制御手段３４による静止画像の表示切り替えが、一連の全静止画像が表示される最終画像まで繰り返されるものである（Ｓ５）。
【００２３】
このように、台詞の読み上げ者（画像の切り替え者）による特別な操作を要せず、台詞読み上げに応じて容易に、しかもタイミングよく静止画像の切り替え表示を行うことができるものである。
【００２４】
次に、図３に、本発明に係る静止画像表示切替システムの他の構成のブロック図を示す。図３は、静止画像表示切替システム１１の、主要な一部のブロック図であり、記憶装置２２には、さらに台詞ＤＢ４１、台詞表示制御手段４２及び第２の画像表示制御手段４３が記憶される。また、バス１２に送受信部４４が設けられ、当該送受信部４４と無線式によりデータ送信される第２の表示部である遠隔表示端末４５が備えられる。当該遠隔表示端末４５には、第２の表示部４６、第２の表示制御部４７及び送受信部４８が適宜備えられる。
【００２５】
上記台詞ＤＢ４１は、画像ＤＢ３５に記憶されている一連で構成される静止画像に関連付けられている対応の台詞データをそれぞれ記憶しておくデータベースである。なお、この台詞ＤＢ４１のデータを画像ＤＢ３５内に対応画像と関連付けて記憶させておくこととしてもよい。上記台詞表示制御手段４２は、遠隔表示端末４５に、上記画像表示部１７に現に表示されている静止画像に対応する台詞データを、台詞ＤＢ４１より抽出して送受信部４４に送出するプログラムであり、ＲＡＭ１５に展開されて実行される。上記第２の画像表示制御手段４３は、上記画像表示部１７で現に表示されている静止画像を、画像ＤＢ３５より抽出して送受信部４４に送出するプログラムであり、ＲＡＭ１５に展開されて実行される。
【００２６】
上記送受信部４４は、遠隔表示端末４５に対して、送受信部４８と無線方式で送出する電子回路である。例えば、ＩＲ方式やブルートゥース機構のピコネット接続方式などによる無線方式で接続可能であるが、有線方式であってもよい。当該遠隔表示端末４５の備える第２の表示部４６は、画像表示部１７に現に表示されている静止画像、及び、当該静止画像に対応する台詞データを表示させるディスプレイである。そして、遠隔表示端末４５の備える第２の表示制御部４７は、送受信部４８に送られてくる静止画像のデータ及び台詞データをデコードして当該静止画像を第２の表示部４６に表示させ、このときに台詞データをテロップ状態で表示させるものである。
【００２７】
すなわち、システムの所定の画像表示時には、画像表示部１７に現に表示されている静止画像のデータを第２の画像表示制御手段４３が抽出して遠隔表示端末４５に送出し、またこれに対応した台詞データを台詞表示制御手段４２が台詞ＤＢ４１より抽出して遠隔表示端末４５に送出することにより表示させる。
【００２８】
そこで、読み上げ者が遠隔表示端末４５に表示された静止画像及び台詞を見ながら読み上げ、設定台詞データ（図２（Ａ）の照合データ部３３）と一致する台詞が読み上げられると、音声照合手段３２からの一致信号によって第１の画像表示制御手段３４が次の静止画像を画像ＤＢ３５より抽出して表示制御部１６に送出することで静止画像の表示切り替えを行わせる。このとき、台詞表示制御手段４２及び第２の画像表示制御手段４３が画像表示部１７に現に表示されている静止画像のデータ及びその対応した台詞データを、遠隔表示端末４５上で切り替えさせる。これが最終画像の表示まで繰り返されるものである。
【００２９】
なお、第２の画像表示制御手段４３において、画像表示部１７上で現に表示されている静止画像で遠隔表示端末４５上の静止画像及び台詞を切り替えさせる場合として示したが、音声照合手段３２からの一致信号によって対応の静止画像及び台詞を切り替えさせることとしてもよい。また、遠隔表示端末４５に、上記画像表示部１７に現に表示されている静止画像及び台詞を表示させることとして説明したが、台詞のみの表示であってもよいが、遠隔表示端末４５に同一の静止画像を表示させることで読み上げ者の台詞読み上げに感情移入させる効果がある。さらに、台詞読み上げ者は、遠隔表示端末４５を見ながらマイク１９に読み上げ発声することから、当該遠隔表示端末４５にマイク機能を備えさせてもよい。
【００３０】
このように、台詞読み上げ者が遠隔表示端末４５に表示された台詞又は台詞及び静止画像を見ながら読み上げることから利便性を提供することができると共に、上記同様に、特別な操作を要せず、台詞読み上げに応じて容易に、しかもタイミングよく静止画像の切り替え表示を行うことができるものである。
【産業上の利用可能性】
【００３１】
本発明の静止画像表示切替システムは、デジタル紙芝居やプレゼンテーション等の台詞と静止画像とが対応付けられている場合の当該静止画像表示の切り替えるシステムに利用可能である。
【図面の簡単な説明】
【００３２】
【図１】本発明に係る静止画像表示切替システムのブロック構成図である。
【図２】静止画像の表示切り替えの説明図である。
【図３】本発明に係る静止画像表示切替システムの他の構成のブロック図である。
【符号の説明】
【００３３】
１１            静止画像表示切替システム
１７            第１の画像表示部
１８            音声入力部
２１            音声処理部
３１            音声認識手段
３２            音声照合手段
３３            照合データ部
３４            第１の画像表示制御手段
３５            画像ＤＢ
４１            台詞ＤＢ
４２            台詞表示制御手段
４３            第２の画像表示制御手段
４５            遠隔表示端末
【図１】
2008035226.tif 000003
【図２】
2008035226.tif 000004
【図３】
2008035226.tif 000005